(57)【要約】【課題】  非常通報監視装置において、ビル側非常通報装置の特定と、定時発報と通常発報とを弁別できるようにし、また、通信コストを節約しながら定時発報をチェックできる装置を得る。【解決手段】  センター側非常通報装置１は、ビル側非常通報装置２から公衆電話網３を通しての通報時、電話番号認識器７でどの非常通報装置からの通報かを特定し、コール回数検出器６で定時発報と通常発報とを判別する。また、番号通知呼び回数カウンタ８で呼び回数をカウントし、数回のカウントに一回の定時発報を着信してデータ通信系のチェックを可能にしている。【選択図】図１
2005101813.tif 000002
【特許請求の範囲】
【請求項１】
ビル側に設置されたビル側非常通報装置とセンター側に設置されたセンター側非常通報装置とを電話回線で結び、ビル側非常通報装置から回線故障点検用の定時発報とビル内のエレベータや設備の状態或いは異常を通知する通常発報とを電話回線を通じてセンター側に通知するようにした非常通報監視装置において、センター側非常通報装置は、上記発報のコール回数検出器と、電話番号認識器と、定時発報回数をカウントする番号通知呼び回数カウンタと、上記コール回数検出器、上記電話番号認識器、および上記番号通知呼び回数カウンタの出力を処理し、電話番号および発報の種類を特定して、通常発報は着信し、定時発報は複数回に一度着信するように制御する中央処理装置とを備えたことを特徴とする非常通報監視装置。
【発明の詳細な説明】
【技術分野】
【０００１】
この発明は、エレベータやビル内設備の状態や異常を、電話回線を介して遠隔地で監視・制御する非常通報監視装置に関するものである。
【背景技術】
【０００２】
従来の非常通報監視装置は、エレベータやビル内設備側（以下ビル側と呼ぶ）に設けられた非常通報装置と遠隔地のセンター側に設けられた非常通報装置間でモデム信号及びＰＢ信号等を使ってデータを送受信し、遠隔から監視・制御を行う。ビル側非常通報装置および電話回線の異常の無いことを定期的に確認するため、ビル側非常通報装置からセンター側非常通報装置ヘー定時間おきに通報を行なう（以下「定時発報」と呼ぶ）。定時発報はナンバーディスプレイ機能を使用し、センター側非常通報装置の着信無しによっても確認できるものである。なお、類似の遠隔監視装置として特許文献１に示すものがある。
【０００３】
【特許文献１】特開平１１一１１２６９０号公報
【発明の開示】
【発明が解決しようとする課題】
【０００４】
上記のような従来の非常通報システムは、定時発報のたびに通信料がかかる。また、ナンバーディスプレイ機能を使用し、未着信で定時発報を行なったとしても、非常通報装置内のデータ通信系の異常は確認できないという問題がある。
【０００５】
この発明は、上記の問題点を解消するためになされたもので、定時発報の数回に１回は着信し、データ通信を行うことでデータ通信系の異常の無いことを確認する。また、定時発報とビル設備等の異常によるビル側非常通報装置からの通報（以下、「通常発報」と呼ぶ）を識別出来るようにすることを目的とする。
【課題を解決するための手段】
【０００６】
この発明に係る非常通報監視装置は、ビル側に設置されたビル側非常通報装置とセンター側に設置されたセンター側非常通報装置とを電話回線で結び、ビル側非常通報装置から回線故障点検用の定時発報とビル内のエレベータや設備の状態或いは異常を通知する通常発報とを電話回線を通じてセンター側に通知するようにしたものにおいて、センター側非常通報装置は、上記発報のコール回数検出器と、電話番号認識器と、定時発報回数をカウントする番号通知呼び回数カウンタと、上記コール回数検出器、上記電話番号認識器、および上記番号通知呼び回数カウンタの出力を処理し、電話番号および発報の種類を特定して、通常発報は着信し、定時発報は複数回に一度着信するように制御する中央処理装置とを備えたものである。
【発明の効果】
【０００７】
この発明に係る非常通報監視装置によれば、定時発報と通常発報とでコール回数を変え、センター側非常通報装置でコール回数を検出できるようにしたため、定時発報と通常発報を識別でき、また定時発報回数をカウントし、数回に１回の定時発報には着信してデータ通信系の異常を確認できるようにしたので、安価に定時発報およびデータ通信系のチェックが出来るという効果がある。
【発明を実施するための最良の形態】
【０００８】
実施の形態１．
図１はこの発明の実施の形態１に係る非常通報監視装置を示すブロック図である。この非常通報監視装置は、センター側非常通報装置１とビル側非常通報装置２が電話回線である公衆電話網３で接続されたものからなる。ビル側非常通報装置２は、図示していないが、多数の設備監視装置を内蔵し、エレベータやビル内設備の状態や異常を公衆電話網３を介してセンター側非常通報装置１に通報する機能を有する。センター側非常通報装置１は、公衆電話網３に接続するための網制御装置５、ビル側非常通報装置２から電話がかかってきた時のコール回数をカウントするコール回数検出器６、ナンバーディスプレイサービスを使用し、相手の電話番号を認識する電話番号認識器７、番号通知によりかかってきた呼び回数をカウントする番号通知呼び回数カウンタ８、データ通信モデム９、および上記５〜９の信号を制御する中央処理装置４を備えている。
【０００９】
次に動作を説明する。ビル側非常通報装置２は、ビル側のエレベータやビル内設備の状態や異常を検出すると、センター側非常通報装置１に公衆電話網３を通して通報を行う。網制御装置５は通報を検出し、コール回数検出器６および電話番号認識器７へそれぞれコール回数と相手電話番号を伝える。電話番号認識器７は相手の電話番号を認識することで、どのビルのどの非常通報装置からの通報かを特定する。ビル側非常通報装置２は一定時間間隔で信号を発する定時発報も行うが、定時発報時は短いコール回数（例えば３回）、通常発報時は長いコール回数（例えば４回以上）によりセンター側非常通報装置１に通報を行う。
【００１０】
センター側非常通報装置１のコール回数検出器６はビル側非常通報装置２のコール回数をカウントして中央処理装置４へ伝える。中央処理装置４は、短いコール回数であれば定時発報、それ以上のコール回数であれば通常発報と判断し、通常発報時は着信し、ビル側非常通報装置２と通信を行う。短いコール回数時、中央処理装置４は定時発報と判断し、番号通知呼び回数カウンタ８の値をプラス１する。番号通知呼び回数カウンタ８のカウンタ値が、ある設定回数（例えば５回）をカウントした時、センター側非常通報装置１は着信し、通信系の異常チェックを行い、番号通知呼び回数カウンタ８がある設定値（例えば５回）に満たない場合は、着信せずにビル側非常通報装置２からの定時発報確認のみ行う。
【００１１】
以上のように、この発明では、ビル側非常通報装置からの通報時、センター側非常通報装置において相手の電話番号を認識し、呼び回数をカウントできるようにしているので、どこのビル側の非常通報装置からの何回目の通報かを認識し、数回に一回の定時発報に着信することで、安い通信料で通信系の異常を確認することができる。また、コール回数をカウントし、カウント数に応じて定時発報か通常発報かを認識できるようにしたため、定時発報時は着信せずに、定時発報か通常発報かを認識することができる。
【産業上の利用可能性】
【００１２】
この発明は、多数のビルの設備、機器等を監視する遠隔監視装置に適用できる。
【図面の簡単な説明】
【００１３】
【図１】この発明の実施の形態１に係る非常通報監視装置を示すブロック図である。
【符号の説明】
【００１４】
１  非常通報装置（センター側）、    ２  非常通報装置（ビル側）、
３  公衆電話網、                    ４  中央処理装置、
５  網制御装置、                    ６  コール回数検出器、
７  電話番号認識器、                ８  番号通知呼び回数カウンタ、
９  データ通信モデム。
【図１】
2005101813.tif 000003